(57)【要約】【課題】  コピーやファックス機やプリンターやスキャナーなどの事務機器に用いられる紙分離機構におけるローラーセットと分離パッドの摩擦接触に起因する損傷を回避して、機械寿命を延ばしてやる。【解決手段】  この発明の紙分離機構は駆動モーターにより駆動されるローラーセットと、ローラーセットの側部上に配置されたギアセットと、ギアセットの側部上に配置されて抵抗トルクを与える調節装置とを有してなり、ローラーセットが駆動モーターにより駆動されかつ駆動モーターにより与えられた推力が抵抗トルクを圧倒したときに、ローラーセットが紙の提供を開始する【選択図】図２
2008013368.tif 000002
【特許請求の範囲】
【請求項１】
駆動モーターにより駆動されるローラーセットと、
該ローラーセットの側部上に配置されたギアセットと、
該ギアセットの側部上に配置されて抵抗トルクを与える調節装置と
を有してなり、
該ローラーセットが該駆動モーターにより駆動されかつ該駆動モーターにより与えられた推力が該抵抗トルクを圧倒したときに、該ローラーセットが紙の提供を開始する
ことを特徴とする紙分離機構。
【請求項２】
前記ローラーセットが第１のローラーと、第２のローラーと、第１のギアと、第２のギアと、第３のギアとを有しており、該第１のギアが該第１のローラーの側部上に配置されており、該第３のギアが該第２のローラーの側部上に配置されており、該第２のギアが該第１のギアと該第３のギアとの間に噛み合っていることを特徴とする請求項１に記載の機構。
【請求項３】
該駆動モーターにより与えられた前記推力が該抵抗トルクを圧倒しないときに、該ローラーセットが紙に接触するまで下方に回転することを特徴とする請求項１に記載の機構。
【請求項４】
さらに突出軸が前記ローラーセットの側部壁上に配置されて該調節装置を受容することを特徴とする請求項１に記載の機構。
【請求項５】
前記調節装置が可撓性要素、摩擦ディスクおよび摩擦板を有しており、前記可撓性要素がバネであることを特徴とする請求項１に記載の機構。
【請求項６】
コピー機、ファックス機、プリンター、スキャナー、または多重機能周辺機器に応用されることを特徴とする請求項１に記載の機構。
【請求項７】
駆動モーターにより駆動される第１のローラーと第２のローラーとを有したローラーセットと、
前記第１のローラーの側部上に配置された第１のギアと第１と第３のギアとの間に噛み合っている第２のギアと第２のローラーの側部上に配置された第３のギアとを有したギアセットと、
該第２のギアの側部上に配置されて抵抗トルクを与える調節装置と
を有してなり、
該第１のローラーが該駆動モーターにより駆動されかつ該駆動モーターにより与えられる推力が該抵抗トルクを圧倒したときに、該第１のギアが第２および第３のギアの回転を駆動し、さらに該第２のローラーを駆動して該第１のローラーと同じ方向に回転させる
ことを特徴とする紙分離機構。
【発明の詳細な説明】
【技術分野】
【０００１】
この発明は紙分離機構に関するものであり特に自動書面供給機（ＡＤＦ）に使用される紙分離機構に関するものである。
【背景技術】
【０００２】
電子技術の発達とともに、全んどのオフィス業務はコピー機、ファックス機、プリンターおよびスキャナーなどの機能に頼っており、そのようなオフィス機器はオフィスにおいて不可欠の装置となっている。それらのオフィス機器は多くのスペースを占拠し、異なる使用率を有している。１個の構造的なユニット中にコピーやファックスやプリントやスキャンなどの多種機能を有した多重機能周辺機器（ＭＦＰ）は小型化と機能集積の流れに沿うように開発されている。したがって、消費者は多彩なオフィス業務のために１台の多重機能周辺機器のみを購入し、占拠スペースは低減し作業品質と効率は改善されている。
【０００３】
単機能周辺機器および多重機能周辺機器は給紙機構と紙分離機構とを有していて、トレー上に載置された紙シート（オリジナルなど）を周辺機器の画像処理装置（ｉｍａｇｅ  ｐｒｏｃｅｓｓｉｎｇ  ｕｎｉｔ）へ供給し、これがコピー、ファックス、プリントまたはスキャンされる。紙シートは分離されて、ピックアップローラーと分離パッドとの間の摩擦力および分離パッドの下に配置されたバネの正常力により、周辺機器に紙毎に供給されて、紙詰まりや多重給紙が防止される。
【０００４】
図１に従来の紙分離機構を示す。該紙分離機構１はピックアップローラー１１、分離パッド１２、バネ１３、調整要素１４および駆動モーター１５を有している。ピックアップローラー１１は別の駆動装置（図示せず）により駆動される。分離パッド１２の一部はピックアップローラー１１と接触し、ここで紙シートは周辺機器に給紙される。分離パッド１２の下端はバネ１３の上端に連結されており、バネ１３の他端は調節要素１４上に装備されている。該調節要素は駆動モーター１５により駆動される。
【０００５】
バネ１３は上向きの正常力を与える。給紙機構がオンにされてピックアップローラー１１が回転し始めると、ピックアップローラー１１は一番上の紙シートをピックアップし、ピックアップローラー１１と分離パッド１２との間の摩擦力により２番目の紙シートがピックアップローラー１１から遮断されて、多重給紙を防止する。
【発明の開示】
【発明が解決しようとする課題】
【０００６】
しかしそのような設計により多重給紙の問題は防止できるものの、ピックアップローラー１１と分離パッド１２との間の摩擦損傷および駆動モーターの過重負担により周辺機器の寿命が短くなる。
【０００７】
この発明の目的は抵抗トルクを採用した紙分離機構を提供することにあり、該抵抗トルクは調節装置により与えられて、ローラーセットにより与えられる給紙トルクを低減する。駆動モーターにより与えられる推力が抵抗トルクを圧倒すると、該ローラーセットは給紙を開始する。したがって、ローラーセットと分離パッドとの間の摩擦は低減されて、摩擦損傷を低減しかつローラーセットと分離パッドとの寿命を延引できる。
【課題を解決するための手段】
【０００８】
このためこの発明の紙分離機構は駆動モーターにより駆動されるローラーセットと、ローラーセットの側部上に配置されたギアセットと、ギアセットの側部上に配置されて抵抗トルクを与える調節装置とを有してなり、ローラーセットが駆動モーターにより駆動されかつ駆動モーターにより与えられた推力が抵抗トルクを圧倒したときに、ローラーセットが紙の供給を開始することを要旨とする。
【発明の効果】
【０００９】
駆動モーターにより与えられる給紙トルクが調節装置により与えられる抵抗トルクを圧倒した後で、ローラーセットは第１、２、３のギアと協働して紙の供給を開始する。したがって、ローラーセットと分離パッドとの間の摩擦が低減されて、摩擦損傷を低減し、ローラーセットと分離パッドの寿命を延引するのである。したがって、この発明の紙分離機構は産業的な価値を有するものである。
【発明を実施するための最良の形態】
【００１０】
一実施例においては、ローラーセットが第１のローラーと第２のローラーとを有している。
【００１１】
一実施例においては、ギアセットが第１のギアと第２のギアと第３のギアとを有している。好ましくは、第１のギアは第１のローラーの側部上に配置され、第３のギアは第２のローラーの側部上に配置され、第２のギアは第１のギアと第３のギアとの間に噛合っている。
【００１２】
一実施例においては、駆動モーターにより与えられる推力が抵抗トルクをまだ圧倒しない時、ローラーセットが紙に接触するまで下方に回転する。
【００１３】
好ましくは、紙分離機構はさらにローラーセットの側壁上に突出軸が配置されて、調節装置を受容する。該調節装置は可撓性要素、摩擦ディスク、摩擦板を有しており、可撓性要素は例えばバネである。
【００１４】
ある実施例においては、紙分離機構はコピー機、ファックス機、プリンター、スキャナーまたは多重機能周辺機器に使用される。
【００１５】
この発明の他の目的は紙分離機構を提供することにある。紙分離機構はローラーセット、ギアセットおよび調節装置を有している。該ローラーセットは駆動モーターにより駆動される第１のローラーと第２のローラーを有している。該ギアセットは第１のギアと第２のギアと第３のギアとを有しており、第１のギアは第１のローラーの側部上に配置され、第３のギアは第２のローラーの側部上に配置され、第２のギアは第１のギアと第３のギアとの間に噛合っている。該調節装置は抵抗トルクを提供するために第２のギアの側部上に配置されている。第１のローラーが駆動モーターにより駆動され、駆動モーターにより与えられた推力が抵抗トルクを圧倒したとき、第１のギアは第２のギアと第３のギアの回転を駆動し、さらに第２のローラーを第１のローラーと同じ方向に回転する。
【００１６】
一実施例においては、第１のギアを駆動するための駆動モーターにより与えられる推力がまだ抵抗トルクを圧倒しないとき、ローラーセットは第２のローラーが紙に接触するまで下方に回転する。
【００１７】
一実施例において、、第１のギアを駆動する駆動モーターにより与えられる推力が抵抗トルクを圧倒するとき、第２のローラーは紙を供給する第１のローラーと同じ方向に回転する。
【実施例】
【００１８】
図２に示すのはこの発明の紙分離機構の好ましき実施例であって、紙分離機構２はコピー機やファックス機やプリンターやスキャナーまたは多重機能周辺機器などのオフィス機器に使用されるものである。図２に示すように、紙分離機構２はローラーセット２１、ギアセット２２および調節装置２３を有している。
【００１９】
ローラーセット２１は第１のローラー２１１、第２のローラー２１２を有しており、第１のローラー２１１は伝動軸２４を介して駆動モーター（図示せず）により駆動される。
【００２０】
ギアセット２２は第１のギア２２１、第２のギア２２２および第３のギア２２３を有しており、第１のギア２２１は第１のローラー２１１の側部上に配置され、第３のギア２２３は第２のローラー２１２の側部上に配置され、第２のギア２２２はアイドルギアであって、第１のギア２２１と第３のギア２２３との間に噛み合っている。これにより第１のギア２２１が回転されると、第３のギア２２３も第２のギア２２２の伝動を介して回転できる。加えて、調節装置２３は第２のギア２２２の側部上に配置上されて抵抗トルクを与える。
【００２１】
駆動モーターが第１のローラー２１１を駆動し始め第１のギア２２１と第１のローラー２１１とを同時に回転させたとき、調節装置２３が抵抗トルクを与えるので、第２のギア２２２と第３のギア２２３は回転できない。一方、全てのローラーセット２１は、第２のローラー２１２が紙シート（図示せず）に接触するまで、下方に回転する。
【００２２】
駆動モーターにより与えられる推力が調節装置２３により与えられる抵抗トルクを圧倒すると、第１のギア２２１は第２のギア２２２およびこれと噛み合う第３のギア２２３の回転を駆動するに充分なトルクを持つ。これにより第２のローラー２１２は第１のローラー２１１と同じ方向に回り、かくして一番上の紙シートが容易に給紙機構に引き渡される。
【００２３】
給紙要請が消えた後、駆動モーターは逆の駆動トルクを与え、これにより全ローラーセット２１は上方に回転し、第２のローラー２１２は持ち上げられて紙シートの表面から離れて紙の引渡しを停止する。
【００２４】
図３に示す好ましき実施例の調節装置２３は可撓性要素２３１、摩擦ディスク２３２、摩擦板２３３を有している。突出軸２５がローラーセット２１の側壁２１３上に配置されており、可撓性要素２３１（バネなど）、摩擦ディスク２３２および摩擦板２３３は順々に突出軸２５上に嵌合している。ついで第２のギア２２２は突出軸２５の端部に固定されている。
【００２５】
可撓性要素２３１により与えられる正常力を介して、摩擦ディスク２３２は摩擦板２３３上に力を掛けて抵抗トルク（摩擦トルクとも呼ばれる）を与える。調節装置２３は種々の変形例が可能であり、図３の実施例に限定されるものではない。例えば相対位置、可撓性要素２３１、摩擦ディスク２３２および摩擦板２３３の個数またはタイプは変形可能である。また突出軸２５の位置、形状または材料も紙分離機構のデザインに応じて適宜変更可能である。
【００２６】
ギアセット２２の位置と個数とは開示した実施例に限定されるものではなく、調節装置２３の個数も種々の必要に応じて増加できるものであり、調節装置２３は第２のギア２２２上に配置されることのみに限定されるものではない。例えば調節装置２３は第３のギア２２３の側部上に追加的に配置することも可能である。
【００２７】
結論としてこの発明の好ましき実施例によれば、紙分離機構は調節装置によって与えられる抵抗トルクを採用してローラーセットにより与えられる給紙トルクを低減するのである。かくして、ローラーセットの第１のローラーが駆動モーターにより駆動されると、ローラーセットは下方に回転して第２のローラーをして紙シートに接触させるのである。
【００２８】
この発明は以上の記載に限定されるものではなく、種々の変更が可能である。
【産業上の利用可能性】
【００２９】
この発明は紙のようなシートを扱う事務機器産業の分野で広く利用されるものである。
【図面の簡単な説明】
【００３０】
【図１】従来の紙分離機構の斜視図である。
【図２】この発明の紙分離機構の好ましき実施例の斜視図である。
【図３】この発明の紙分離機構に使用される調節装置の斜視図である。
【符号の説明】
【００３１】
１  紙分離機構
２１  ローラーセット
２２  ギアセット
２３  調節装置
２４  伝動軸
２５  突出軸
【図１】
2008013368.tif 000003
【図２】
2008013368.tif 000004
【図３】
2008013368.tif 000005